【事件の表示】
　特願２００８−３２７８３４「画像形成装置」拒絶査定不服審判事件〔平成２２年　７月　８日出願公開、特開２０１０−１４９３１６、請求項の数（１２）〕について、次のとおり審決する。
【結　論】
　原査定を取り消す。
　本願の発明は、特許すべきものとする。
【理　由】
第１　手続の経緯
　本願は、平成２０年１２月２４日の出願であって、平成２４年９月２８日付けで拒絶理由が通知され、同年１１月２９日付けで手続補正がされ、平成２５年５月７日付けで拒絶理由が通知され、同年７月５日付けで手続補正がされ、同年８月２日付けで拒絶査定がされ、これに対し、同年１１月１日付けで拒絶査定不服審判の請求がされ、同時に手続補正がされたものである。　
　
第２　平成２５年１１月１日付けの手続補正（以下「本件補正」という。）の適否　
１　補正の内容
　本件補正は、特許請求の範囲について、下記（１）から下記（２）へと補正することを含むものである。　
（１）本件補正前の特許請求の範囲　
「【請求項１】　
　印刷対象データについての印刷結果を予め確認するための印刷プレビューが表示される印刷プレビュー表示手段を備えてなる画像形成装置であって，
　前記印刷対象データに含まれる１ページ分の画像データ毎の前記印刷プレビューを予め設定された分割数で分割した複数の分割プレビューを前記印刷プレビュー表示手段に個別に拡大表示させる分割プレビュー表示手段と，　
　所定の操作手段の操作に応じて前記分割数を設定する分割数設定手段と，を備え，　
　前記分割数設定手段によって設定された分割数の前記分割プレビューが表示される前又は表示された後に，分割前の前記１ページ分の前記印刷プレビューを前記印刷プレビュー表示手段に表示させることを特徴とする画像形成装置。　
　【請求項２】　
　前記分割プレビュー表示手段は，前記印刷プレビューを前記分割数で分割したときの前記分割プレビュー各々の間の境界よりも予め設定された所定幅だけ広い範囲を前記分割プレビュー各々として前記印刷プレビュー表示手段に個別に拡大表示させることが可能である請求項１に記載の画像形成装置。
　【請求項３】　
　前記分割プレビュー表示手段が，予め設定された所定時間間隔で複数の前記分割プレビューを順次表示させるものである請求項１又は２に記載の画像形成装置。　
　【請求項４】　
　前記分割プレビュー表示手段により複数の前記分割プレビューが順次表示されているときに，現在表示中の前記分割プレビューを，表示順序が次の前記分割プレビュー又は表示順序が前の前記分割プレビューに強制的に切り換えて表示させる強制表示切換手段を更に備えてなる請求項３に記載の画像形成装置。　
　【請求項５】　
　前記分割プレビュー表示手段による複数の前記分割プレビューの順次表示を一時停止させる一時停止手段を更に備えてなる請求項３又は４のいずれかに記載の画像形成装置。　
　【請求項６】　
　所定の操作手段の操作に応じて前記所定時間を変更するプレビュー時間変更手段を更に備えてなる請求項３〜５のいずれかに記載の画像形成装置。　
　【請求項７】　
　前記分割プレビュー表示手段は，前記印刷対象データが複数ページ分の画像データを含むものである場合，該複数ページに亘って１ページ分の画像データ毎の複数の前記分割プレビューを順次表示させるものである請求項３〜６のいずれかに記載の画像形成装置。　
　【請求項８】
　前記分割プレビュー表示手段により複数の前記分割プレビューが順次表示されているときに，現在表示中の前記分割プレビューが含まれたページを，表示順序が次のページ又は表示順序が前のページに強制的に切り換えて表示させるページ切換手段を更に備えてなる請求項７に記載の画像形成装置。　
　【請求項９】　
　前記分割プレビュー表示手段が，前記分割プレビュー各々における空白が予め設定された上限量以上である場合に該分割プレビューを表示対象から除外するものである請求項１〜８のいずれかに記載の画像形成装置。　
　【請求項１０】
　前記分割数設定手段が，前記分割プレビュー表示手段により複数の前記分割プレビューが順次表示されているときに所定の操作手段から前記分割数の設定変更操作がなされた場合に，前記分割数を再設定するものである請求項３〜９のいずれかに記載の画像形成装置。　
　【請求項１１】　
　前記分割プレビュー表示手段により表示されている前記分割プレビューの前記印刷対象データにおける位置を表示するプレビュー位置表示手段を更に備えてなる請求項１〜１０のいずれかに記載の画像形成装置。　
　【請求項１２】　
　前記分割プレビュー表示手段が，前記印刷対象データの１ページ毎の前記印刷プレビューを前記分割数で均等に分割するものである請求項１〜１１のいずれかに記載の画像形成装置。　
　【請求項１３】　
　前記分割数が，２，４，６，８，９，１２，１６のいずれかである請求項１２に記載の画像形成装置。」　
　
（２）本件補正後の特許請求の範囲　
「【請求項１】　
　印刷対象データについての印刷結果を予め確認するための印刷プレビューが表示される印刷プレビュー表示手段を備えてなる画像形成装置であって，
　前記印刷対象データに含まれる１ページ分の画像データ毎の前記印刷プレビューを予め設定された分割数で
複数の分割プレビューに分割し，前記分割数で分割したときの前記分割プレビュー各々の間の境界よりも予め設定された所定幅だけ広い範囲を前記分割プレビュー各々として
ことが可能な
　所定の操作手段の操作に応じて前記分割数を設定する分割数設定手段と，を備え，　
　前記分割数設定手段によって設定された分割数の前記分割プレビューが
前記分割プレビュー表示手段によって
　【請求項２】　
　前記分割プレビュー表示手段が，予め設定された所定時間間隔で複数の前記分割プレビューを順次表示させるものである請求項１に記載の画像形成装置。　
　【請求項３】　
　前記分割プレビュー表示手段により複数の前記分割プレビューが順次表示されているときに，現在表示中の前記分割プレビューを，表示順序が次の前記分割プレビュー又は表示順序が前の前記分割プレビューに強制的に切り換えて表示させる強制表示切換手段を更に備えてなる請求項２に記載の画像形成装置。　
　【請求項４】　
　前記分割プレビュー表示手段による複数の前記分割プレビューの順次表示を一時停止させる一時停止手段を更に備えてなる請求項２又は３のいずれかに記載の画像形成装置。　
　【請求項５】　
　所定の操作手段の操作に応じて前記所定時間を変更するプレビュー時間変更手段を更に備えてなる請求項２〜４のいずれかに記載の画像形成装置。　
　【請求項６】　
　前記分割プレビュー表示手段は，前記印刷対象データが複数ページ分の画像データを含むものである場合，該複数ページに亘って１ページ分の画像データ毎の複数の前記分割プレビューを順次表示させるものである請求項２〜５のいずれかに記載の画像形成装置。　
　【請求項７】　
　前記分割プレビュー表示手段により複数の前記分割プレビューが順次表示されているときに，現在表示中の前記分割プレビューが含まれたページを，表示順序が次のページ又は表示順序が前のページに強制的に切り換えて表示させるページ切換手段を更に備えてなる請求項６に記載の画像形成装置。　
　【請求項８】　
　前記分割プレビュー表示手段が，前記分割プレビュー各々における空白が予め設定された上限量以上である場合に該分割プレビューを表示対象から除外するものである請求項１〜７のいずれかに記載の画像形成装置。　
　【請求項９】　
　前記分割数設定手段が，前記分割プレビュー表示手段により複数の前記分割プレビューが順次表示されているときに所定の操作手段から前記分割数の設定変更操作がなされた場合に，前記分割数を再設定するものである請求項２〜８のいずれかに記載の画像形成装置。　
　【請求項１０】　
　前記分割プレビュー表示手段により表示されている前記分割プレビューの前記印刷対象データにおける位置を表示するプレビュー位置表示手段を更に備えてなる請求項１〜９のいずれかに記載の画像形成装置。　
　【請求項１１】　
　前記分割プレビュー表示手段が，前記印刷対象データの１ページ毎の前記印刷プレビューを前記分割数で均等に分割するものである請求項１〜１０のいずれかに記載の画像形成装置。　
　【請求項１２】　
　前記分割数が，２，４，６，８，９，１２，１６のいずれかである請求項１１に記載の画像形成装置。」（下線は審決で付した。以下同じ。）　
　
２　補正の適否　
　本件補正は，本件補正前の特許請求の範囲の請求項１を削除し、補正前の請求項２において、「前記分割プレビューが表示される」を「前記分割プレビューが前記分割プレビュー表示手段によって表示される」と補正し、これを新たな請求項１とすることを含むものである。　
　本願の請求項に係る発明は、「印刷プレビュー表示手段に表示させることを特徴とする画像形成装置」に係るものであって、「前記分割プレビューが表示される」ことは、「前記分割プレビューが前記分割プレビュー表示手段によって表示される」ことと同義であることは明らかであり、その内容は実質的に変更されてはいない。　
　したがって、本件補正は、特許法第１７条の２第５項第１号の請求項の削除を目的とするものに該当する。　
　また、本件補正は、同法第１７条の２第３項及び第４項に違反するところはない。　
　
　
第３　本願発明　
　本願の請求項１乃至１２に係る発明は、平成２５年１１月１日付けの手続補正書の特許請求の範囲の請求項１乃至１２に記載された事項により特定される、上記「第２　１　（２）本件補正後の特許請求の範囲」に記載したものである（以下、本願の請求項１乃至１２に係る発明をそれぞれ「本願発明１」乃至「本願発明１２」という。）。　
　
　
第４　原査定の理由の概要　
　本願発明１乃至１２は、その出願前に日本国内又は外国において、頒布された特開２００６−２０３７５２号公報及び特開２００５−１１００８８号公報に記載された発明に基づいて、その出願前にその発明の属する技術の分野における通常の知識を有する者が容易に発明をすることができたものであるから、特許法第２９条第２項の規定により特許を受けることができない。　
　
　
第５　当審の判断　
１　刊行物の記載事項　
（１−１）刊行物１　
　原査定の拒絶の理由に引用され、本願の出願前に頒布された特開２００６−２０３７５２号公報（以下「刊行物１」という。）には、以下の記載が図とともにある。　
ア　「【特許請求の範囲】　
【請求項１】　
　
画像データを複数に分割して表示する
　表示対象の画像データを記憶する記憶手段と、　
　
画像の分割数を特定する分割数特定手段と、
　
前記画像データを前記分割数に基づいて分割し
　前記分割領域毎に印字率を求め、各分割領域毎の印字率を定義した印字率テーブルを生成するテーブル生成手段と、　
　前記印字率テーブルに定義されている各分割領域毎の印字率に基づいて、
前記各分割領域のうち１つの分割領域の画像を選択して表示する分割領域画像表示手段と
　を備えたことを特徴とする画像表示装置。」　
イ　「【００１０】 
  以下、本発明の一実施形態による画像表示装置を図面を参照して説明する。図１は同実施形態の構成を示すブロック図である。本実施形態では、画像表示装置が
画像形成装置
画像データに基づいて、
この画像を印刷する
印刷しようとする画像を分割し、拡大して表示部３へ表示する
ウ　「【００１２】　
  まず、原稿台に置かれた原稿をスキャナ４により読み取った画像を画像メモリ５へ格納する（ステップＳ１）。ここで
使用者は、入力部２を操作して、分割表示を指定する
入力部２から分割数を入力する
　
　これらの記載から、刊行物１には、次の発明（以下「引用発明１」という。）が記載されているものと認められる。　
　
「印刷する画像データを複数に分割して拡大表示する表示部を備える画像形成装置であって、使用者が入力部から分割数を入力することにより、画像の分割数が特定される分割数特定手段と、前記画像データを前記分割数に基づいて分割し、各分割領域のうち１つの分割領域の画像を選択して表示する分割領域画像表示手段とを備えた画像形成装置。」　
　
（１−２）刊行物２　
　原査定の拒絶の理由に引用され、本願の出願前に頒布された特開２００５−１１００８８号公報（以下「刊行物２」という。）には、以下の記載が図とともにある。　
「【特許請求の範囲】　
【請求項１】　
　記憶媒体に記録された
複数の画像データを表示手段に連続的に表示する画像表示機能を制御する制御手段を有し
　前記制御手段は、前記表示手段に表示される画像データが静止画データである場合は、前記画像データを前記表示手段に所定時間表示し続ける処理を制御し、前記表示手段に表示される画像データが動画データである場合は、前記画像データの次の画像データを前記表示手段に表示する指示を検出するまで前記画像データを前記表示手段に表示する処理を制御することを特徴とする
画像処理装置
　
　この記載から、刊行物２には、次の発明（以下「引用発明２」という。）が記載されているものと認められる。　
　
「複数の画像データを表示手段に連続的に表示する画像表示機能を制御する制御手段を有する画像処理装置。」　　
　
２　対比
　そこで、本願発明１と引用発明１とを対比すると、　
（１）後者の「印刷する画像データを複数に分割して拡大表示する表示部を備える画像形成装置」は、その技術内容からみて、前者の「印刷対象データについての印刷結果を予め確認するための印刷プレビューが表示される印刷プレビュー表示手段を備えてなる画像形成装置」に相当する。　
（２）後者の「使用者が入力部から分割数を入力することにより、画像の分割数が特定される分割数特定手段」はその機能からみて、前者の「所定の操作手段の操作に応じて前記分割数を設定する分割数設定手段」に相当する。
（３）後者の「前記画像データを前記分割数に基づいて分割し、各分割領域のうち１つの分割領域の画像を選択して表示する分割領域画像表示手段」はその機能からみて、前者の「前記印刷対象データに含まれる１ページ分の画像データ毎の前記印刷プレビューを予め設定された分割数で複数の分割プレビューに分割し，前記印刷プレビュー表示手段に個別に拡大表示させることが可能な分割プレビュー表示手段」に相当する。　
　
　したがって、両者は、　
「印刷対象データについての印刷結果を予め確認するための印刷プレビューが表示される印刷プレビュー表示手段を備えてなる画像形成装置であって，
　前記印刷対象データに含まれる１ページ分の画像データ毎の前記印刷プレビューを予め設定された分割数で複数の分割プレビューに分割し，前記印刷プレビュー表示手段に個別に拡大表示させることが可能な分割プレビュー表示手段と，　
　所定の操作手段の操作に応じて前記分割数を設定する分割数設定手段と，を備えた画像形成装置。」　
の点で一致し、以下の点で相違する。　
　
［相違点１］　
　分割プレビュー表示手段が、本願発明１では、分割数で分割したときの分割プレビュー各々の間の境界よりも予め設定された所定幅だけ広い範囲を前記分割プレビュー各々として個別に拡大表示させるものであるのに対し、引用発明１では、予め設定された分割数で複数の分割プレビューに分割しただけのものを拡大表示させるものである点。　
　
［相違点２］　
　本願発明１は、分割数設定手段によって設定された分割数の分割プレビューが分割プレビュー表示手段によって表示される前又は表示された後に，分割前の１ページ分の印刷プレビューを印刷プレビュー表示手段に表示させるのに対し、引用発明１は、そのような表示を行っていない点。　
　
３　判断　
　上記相違点１について以下検討する。　
　上記「１　刊行物の記載事項　（１−２）」のとおり、引用発明２は、上記相違点１に係る本願発明１の発明特定事項を備えるものではない。　
　
　したがって、引用発明１及び２より、相違点１に係る本願補正発明の発明特定事項とすることは、当業者が容易に想到し得るものではない。　
　
　そして、本願発明１は、上記相違点１に係る本願発明１の発明特定事項を具備することにより、本願明細書に記載の「分割プレビュー各々の境界線上に存在する文字を認識し得る」（段落【００２８】）という作用効果を奏するものである。　
　
　よって、上記相違点２を検討するまでもなく、本願発明１は、引用発明１及び２に基づいて、当業者が容易に発明をすることができたものであるとはいえない。　
　
　また、本願発明１に対して、その新規性及び進歩性を否定すべき出願日前の頒布刊行物は見当たらない。　
　
　なお、本願の出願前に頒布された特開２００８−１２４８９５号公報（以下「刊行物３」という。）は、分割された画像データ同士で画像データがラップする領域を設定するものではあるが、画像データを分割して印刷した際に、分割の境界近傍の画像情報を両方の分割画像で確認できるものである点で本願発明１と相違する。（以下「相違点３」という。）　
　そして、刊行物３に記載の発明が、「分割画像データ同士で画像データがラップする領域を設定可能」であるとしても、該画像データがラップする領域は、本願発明１のように印刷プレビューにおいて境界線上の文字等を確認するためのものではなく、分割画像データを印刷した際に分割境界近傍の画像情報を確認するためのものであるから、刊行物３に記載の発明は、上記相違点３に係る本願発明１の発明特定事項を備えていない。　
　
　さらに、請求項１に係る発明を直接又は間接に引用する発明である請求項２乃至請求項１２に係る本願発明２乃至本願発明１２も、上記相違点１及び２にかかる構成を有しているものであるから、本願発明１について上記で検討したのと同様の理由により、上記引用発明１及び２に基づいて当業者が容易に発明することができたものということはできない。　
　
第６　むすび　
　以上のとおりであるから、本願請求項１乃至１２に係る発明は、引用発明１及び２に基づいて、当業者が容易に発明をすることができたものとすることはできないから、原査定の理由によっては、本願を拒絶することはできない。　
　また、他に本願を拒絶すべき理由を発見しない。　
　よって、結論のとおり審決する。